(57)【特許請求の範囲】
【請求項１】
顔を撮影し、顔画像データを生成する撮影部と、
印画物に対する負担金額の入力を受けつける負担金額入力部と、
印画物にプリントされる顔画像のコマ数の入力を受けつけるコマ数入力部と、
前記顔画像データのデータサイズを変更し、プリント用顔画像データを生成するリサイズ部と、
広告データを記憶する記憶部と、
前記負担金額入力部を介して入力された負担金額に基づいて前記記憶部から前記広告データを選択して取り出す選択部と、
前記コマ数入力部を介して入力されたコマ数、及び前記負担金額入力部を介して入力された負担金額に基づいて、顔画像及び広告の印刷位置を決定し、前記プリント用顔画像データ及び前記選択部が前記記憶部から取り出した前記広告データを合成してプリント用画像データを生成する合成部と、
前記プリント用画像データに基づいて印画物をプリントするプリンタと、
を備え、
前記合成部は、顔画像及び広告が複数枚の印画物にプリントされるように印刷位置を決定して、前記プリント用画像データを生成し、
前記合成部は、前記複数枚の印画物における顔画像の位置が異なるように印刷位置を決定して、前記プリント用画像データを生成する印画物作製装置。
【請求項２】
顔を撮影し、顔画像データを生成する撮影部と、
印画物に対する負担金額の入力を受けつける負担金額入力部と、
印画物にプリントされる顔画像のコマ数の入力を受けつけるコマ数入力部と、
前記顔画像データのデータサイズを変更し、プリント用顔画像データを生成するリサイズ部と、
広告データを記憶する記憶部と、
前記負担金額入力部を介して入力された負担金額に基づいて前記記憶部から前記広告データを選択して取り出す選択部と、
前記コマ数入力部を介して入力されたコマ数、及び前記負担金額入力部を介して入力された負担金額に基づいて、顔画像及び広告の印刷位置を決定し、前記プリント用顔画像データ及び前記選択部が前記記憶部から取り出した前記広告データを合成してプリント用画像データを生成する合成部と、
前記プリント用画像データに基づいて印画物をプリントするプリンタと、
を備え、
前記合成部は、顔画像及び広告が複数枚の印画物にプリントされるように印刷位置を決定して、前記プリント用画像データを生成し、
前記合成部は、前記複数枚の印画物における顔画像の位置が異なるように印刷位置を決定して、前記プリント用画像データを生成し、
前記合成部は、前記負担金額が低いほど、印画物における広告面積が大きくなるように顔画像及び広告の印刷位置を決定して、前記プリント用画像データを生成する、印画物作製装置。
【請求項３】
プリントされる顔画像のサイズの入力を受けつけるサイズ入力部をさらに備え、
前記記憶部は、それぞれジャンル情報を有する複数の広告データを記憶しており、
前記選択部は、前記サイズ入力部を介して入力されたサイズに基づいて印画物の用途を推定し、前記記憶部から、前記用途に対応するジャンル情報を有する広告データを選択して取り出すことを特徴とする請求項１又は２に記載の印画物作製装置
【請求項４】
顔を撮影し、顔画像データを生成する撮影部と、
印画物に対する負担金額の入力を受けつける負担金額入力部と、
印画物にプリントされる顔画像のコマ数の入力を受けつけるコマ数入力部と、
前記顔画像データのデータサイズを変更し、プリント用顔画像データを生成するリサイズ部と、
広告データを記憶する記憶部と、
前記負担金額入力部を介して入力された負担金額に基づいて前記記憶部から前記広告データを選択して取り出す選択部と、
前記コマ数入力部を介して入力されたコマ数、及び前記負担金額入力部を介して入力された負担金額に基づいて、顔画像及び広告の印刷位置を決定し、前記プリント用顔画像データ及び前記選択部が前記記憶部から取り出した前記広告データを合成してプリント用画像データを生成する合成部と、
前記プリント用画像データに基づいて印画物をプリントするプリンタと、
プリントされる顔画像のサイズの入力を受けつけるサイズ入力部と、
を備え、
前記記憶部は、それぞれジャンル情報を有する複数の広告データを記憶しており、
前記選択部は、前記サイズ入力部を介して入力されたサイズに基づいて印画物の用途を推定し、前記記憶部から、前記用途に対応するジャンル情報を有する広告データを選択して取り出すことを特徴とする印画物作製装置。
【請求項５】
前記合成部は、前記負担金額が低いほど、印画物における広告面積が大きくなるように顔画像及び広告の印刷位置を決定して、前記プリント用画像データを生成することを特徴とする請求項４に記載の印画物作製装置。
【請求項６】
前記合成部は、顔画像及び広告が複数枚の印画物にプリントされるように印刷位置を決定して、前記プリント用画像データを生成することを特徴とする請求項４又は５に記載の印画物作製装置。
【請求項７】
請求項１乃至６のいずれかに記載の印画物作製装置と、
前記印画物作製装置と通信可能に接続され、前記印画物作製装置に対して所定時間毎に広告データを配信する広告配信サーバと、
を備える印画物作製システム。
【発明の詳細な説明】
【技術分野】
【０００１】
本発明は、顔画像が印画された印画物を作製する印画物作製装置及び印画物作製システムに関する。
【背景技術】
【０００２】
従来、免許証、パスポート、履歴書等に貼付するための証明写真等を撮影するためのボックス型の写真撮影装置が知られている。例えば、写真撮影装置は、撮影した顔画像を複数個の画像コマにして、１枚のプリント用紙にプリントして出力する。
【０００３】
また、利用者が１枚のプリント用紙にプリントする画像コマ数を指定すると、プリント用紙の空いているコマ位置に広告（商業宣伝広告）をプリントする写真撮影装置が提案されている（例えば特許文献１参照）。
【０００４】
しかし、このような従来の写真撮影装置は、プリント用紙の空いているコマ位置に自動的に広告をプリントするため、広告の不要な（広告のプリントを望まない）利用者に対しても、広告がプリントされたプリント用紙を出力するという問題があった。
【先行技術文献】
【特許文献】
【０００５】
【特許文献１】特開２００３−１７３４７１号公報
【発明の概要】
【発明が解決しようとする課題】
【０００６】
本発明は、プリント用紙にプリントされる広告の有無や割合を利用者が決定できる印画物作製装置及び印画物作製システムを提供することを目的とする。
【課題を解決するための手段】
【０００７】
本発明の一態様による印画物作製装置は、顔を撮影し、顔画像データを生成する撮影部と、印画物に対する負担金額の入力を受けつける負担金額入力部と、印画物にプリントされる顔画像のコマ数の入力を受けつけるコマ数入力部と、前記顔画像データのデータサイズを変更し、プリント用顔画像データを生成するリサイズ部と、広告データを記憶する記憶部と、前記負担金額入力部を介して入力された負担金額に基づいて前記記憶部から前記広告データを選択して取り出す選択部と、前記コマ数入力部を介して入力されたコマ数、及び前記負担金額入力部を介して入力された負担金額に基づいて、顔画像及び広告の印刷位置を決定し、前記プリント用顔画像データ及び前記選択部が前記記憶部から取り出した前記広告データを合成してプリント用画像データを生成する合成部と、前記プリント用画像データに基づいて印画物をプリントするプリンタと、を備え、前記合成部は、顔画像及び広告が複数枚の印画物にプリントされるように印刷位置を決定して、前記プリント用画像データを生成し、前記合成部は、前記複数枚の印画物における顔画像の位置が異なるように印刷位置を決定して、前記プリント用画像データを生成するものである。
【０００８】
本発明の一態様による印画物作製装置は、顔を撮影し、顔画像データを生成する撮影部と、印画物に対する負担金額の入力を受けつける負担金額入力部と、印画物にプリントされる顔画像のコマ数の入力を受けつけるコマ数入力部と、前記顔画像データのデータサイズを変更し、プリント用顔画像データを生成するリサイズ部と、広告データを記憶する記憶部と、前記負担金額入力部を介して入力された負担金額に基づいて前記記憶部から前記広告データを選択して取り出す選択部と、前記コマ数入力部を介して入力されたコマ数、及び前記負担金額入力部を介して入力された負担金額に基づいて、顔画像及び広告の印刷位置を決定し、前記プリント用顔画像データ及び前記選択部が前記記憶部から取り出した前記広告データを合成してプリント用画像データを生成する合成部と、前記プリント用画像データに基づいて印画物をプリントするプリンタと、を備え、前記合成部は、顔画像及び広告が複数枚の印画物にプリントされるように印刷位置を決定して、前記プリント用画像データを生成し、前記合成部は、前記複数枚の印画物における顔画像の位置が異なるように印刷位置を決定して、前記プリント用画像データを生成し、前記合成部は、前記負担金額が低いほど、印画物における広告面積が大きくなるように顔画像及び広告の印刷位置を決定して、前記プリント用画像データを生成するものである。
【０００９】
本発明の一態様による印画物作製装置においては、プリントされる顔画像のサイズの入力を受けつけるサイズ入力部をさらに備え、前記記憶部は、それぞれジャンル情報を有する複数の広告データを記憶しており、前記選択部は、前記サイズ入力部を介して入力されたサイズに基づいて印画物の用途を推定し、前記記憶部から、前記用途に対応するジャンル情報を有する広告データを選択して取り出すことが好ましい。
【００１０】
本発明の一態様による印画物作製装置は、顔を撮影し、顔画像データを生成する撮影部と、画物に対する負担金額の入力を受けつける負担金額入力部と、印画物にプリントされる顔画像のコマ数の入力を受けつけるコマ数入力部と、前記顔画像データのデータサイズを変更し、プリント用顔画像データを生成するリサイズ部と、広告データを記憶する記憶部と、前記負担金額入力部を介して入力された負担金額に基づいて前記記憶部から前記広告データを選択して取り出す選択部と、前記コマ数入力部を介して入力されたコマ数、及び前記負担金額入力部を介して入力された負担金額に基づいて、顔画像及び広告の印刷位置を決定し、前記プリント用顔画像データ及び前記選択部が前記記憶部から取り出した前記広告データを合成してプリント用画像データを生成する合成部と、前記プリント用画像データに基づいて印画物をプリントするプリンタと、プリントされる顔画像のサイズの入力を受けつけるサイズ入力部と、を備え、前記記憶部は、それぞれジャンル情報を有する複数の広告データを記憶しており、前記選択部は、前記サイズ入力部を介して入力されたサイズに基づいて印画物の用途を推定し、前記記憶部から、前記用途に対応するジャンル情報を有する広告データを選択して取り出すものである。
【００１１】
本発明の一態様による印画物作製装置においては、前記合成部は、前記負担金額が低いほど、印画物における広告面積が大きくなるように顔画像及び広告の印刷位置を決定して、前記プリント用画像データを生成することが好ましい。
【００１２】
本発明の一態様による印画物作製システムは、前記印画物作製装置と、前記印画物作製装置と通信可能に接続され、前記印画物作製装置に対して所定時間毎に広告データを配信する広告配信サーバと、を備えるものである。
【発明の効果】
【００１３】
本発明によれば、プリント用紙にプリントされる広告の有無や割合を利用者が決定できる。
【図面の簡単な説明】
【００１４】
【図１】本発明の第１の実施形態に係る印画物作製装置の概略構成図である。
【図２】広告の印刷例を示す図である。
【図３】同第１の実施形態に係る演算制御部のハードウェア構成図である。
【図４】同第１の実施形態に係る画像処理プログラムを実行することで実現される機能ブロック図である。
【図５】同第１の実施形態に係る印画物作製方法を説明するフローチャートである。
【図６】タッチパネルの表示画面の一例を示す図である。
【図７】タッチパネルの表示画面の一例を示す図である。
【図８】プリント出力される印画物の例を示す図である。
【図９】プリント出力される印画物の例を示す図である。
【図１０】本発明の第２の実施形態に係る印画物作製システムの概略構成図である。
【発明を実施するための形態】
【００１５】
以下、本発明の実施の形態を図面に基づいて説明する。
【００１６】
（第１の実施形態）図１に本発明の第１の実施形態に係る印画物作製装置１００の概略構成を示す。印画物作製装置１００は、被撮影者Ｐの顔を撮影し、顔画像データを生成する撮影部２と、顔画像データ及び広告データをプリント用紙における印刷位置を考慮して合成する演算制御部１と、印画物（写真）をプリントするプリンタ５と、撮影部２が被撮影者Ｐの顔を撮影する際に被撮影者Ｐに光を照射するストロボ６と、を備える。
【００１７】
撮影部２は、例えばデジタルカメラであり、レンズ、シャッタ、ＣＭＯＳセンサ、Ａ／Ｄ変換器等を有する。撮影部２が被撮影者Ｐの顔を撮影する場合には、ＣＭＯＳセンサが、レンズにより収束された撮影光を、シャッタを介して受光すると共に、受光面に結像された光学像を光電変換し、画像信号として出力する。そして、Ａ／Ｄ変換器が、ＣＭＯＳセンサから出力された画像信号をＡ／Ｄ変換し、顔画像データを生成する。撮影部２は、顔画像データを演算制御部１へ出力する。
【００１８】
また、印画物作製装置１００は、ユーザ（被撮影者Ｐ）から必要とする画像コマ数の入力を受け付ける画像コマ数入力部、印画物に対するユーザの負担金額の入力を受け付ける負担金額入力部、及びプレビュー画像を表示する表示部を備えており、タッチパネル３がこれらの機能を有している。
【００１９】
タッチパネル３は、操作ボタンを表示し、操作ボタンが押されると、その操作ボタンに対応した操作指示を受け付ける。例えば、タッチパネル３は、ユーザ（被撮影者Ｐ）から、プリンタ５が印画物にプリントする写真サイズの指示を受け付ける。写真サイズは、例えば、運転免許証、パスポート、ビザ等に対応するものである。また、写真サイズのカスタマイズができるようになっていてもよい。
【００２０】
また、タッチパネル３は、ユーザから、必要とする画像コマ数の入力や、印画物に対するユーザの負担金額の入力を受け付ける。ユーザの印画物に対する負担金額は、印画物にプリントされる広告データの割合に応じて変わる。
【００２１】
例えば、１枚の印画物に４コマの顔画像をプリントし、空いているコマ位置が２つある場合、図２（ａ）に示すように空いているコマ位置を空白にしておくか、又は図２（ｂ）に示すように空いているコマ位置の一方にのみ広告をプリントするか、又は図２（ｃ）に示すように空いているコマ位置の両方に広告をプリントするかで、ユーザの負担金額を変える。印画物の販売者は、広告をプリントすることで広告主から広告宣伝料を受け取ることができるため、プリントされる広告が多い（広告面積が大きい）ほど、印画物の料金は安価に設定される。従って、図２（ａ）〜（ｃ）に示す例では、ユーザの印画物に対する負担金額は図２（ａ）が一番高く、図２（ｃ）が一番安くなる。また、図２（ｄ）に示すように、空いているコマ位置に複数種類（別会社）の広告をプリントし、図２（ｃ）よりもさらにユーザの負担金額を低くしてもよい。
【００２２】
このように、ユーザは、タッチパネル３から、印画物にプリントする顔画像のコマ数とともに、印画物に対する負担金額（印画物の料金）を入力して、印画物にプリントされる広告の割合（大きさ）を指定することができる。
【００２３】
さらに、印画物作製装置１００には、被撮影者Ｐが印画物の代金として支払う貨幣を受け入れたり、釣銭を払い出したりする課金部（図示せず）が設けられている。
【００２４】
演算制御部１は、撮影部２、タッチパネル３、プリンタ５、ストロボ６、及び課金部に接続されており、各部の制御やデータの受け渡しを行う。
【００２５】
図３に、演算制御部１のハードウェア構成を示す。演算制御部１は、ＣＰＵ（中央演算処理部）１１、メインメモリ１２、ディスク装置１３、及び入出力部１４を有する。演算制御部１の各部はバス１５を介して接続されている。
【００２６】
ディスク装置１３は、ＣＰＵ１１により実行される画像処理プログラム１６を格納する。また、ディスク装置１３は、複数の広告データ１７を格納して記憶する記憶部の機能を有している。なお、画像処理プログラム１６は、ディスク装置１３でなく、ＲＯＭや磁気テープ（共に図示せず）に格納されていてもよい。
【００２７】
ＣＰＵ１１は、ディスク装置１３内の画像処理プログラム１６をメインメモリ１２にロードして、画像処理プログラム１６を実行する。
【００２８】
画像処理プログラム１６の実行に伴い、メインメモリ１２上には、顔画像データ、プリント用顔画像データ、プレビュー用顔画像データ、及びプリント用画像データを格納する領域が確保される。ここで、プリント用顔画像データは、プリンタ５によるプリント用にリサイズされた顔画像データをいう。また、プレビュー用顔画像データは、タッチパネル３にプレビュー画像として表示される顔画像データである。また、プリント用画像データは、プリント用顔画像データ及び広告データがプリント用に合成された画像データである。
【００２９】
図４に、ＣＰＵ１１が画像処理プログラム１６を実行することで実現される機能ブロック図を示す。画像処理プログラム１６の実行により、リサイズ部２１、選択部２２、及び合成部２３が実現される。
【００３０】
リサイズ部２１は、撮影部２により生成された顔画像データを、プリンタ５でプリントする写真サイズに対応したサイズに縮小し、プリント用顔画像データを生成する。例えば、縦、横の画素を均等に間引くことで画像を縮小することができる。プリンタ５でプリントされる写真サイズは、タッチパネル３を介して指示される。
【００３１】
また、リサイズ部２１は、撮影部２により生成された顔画像データをタッチパネル３での表示に対応したサイズに縮小し、プレビュー用顔画像データを生成する。プレビュー用顔画像データは、入出力部１４を介してタッチパネル３へ出力される。これにより、タッチパネル３は、被撮影者Ｐの顔画像をプレビュー表示することができる。
【００３２】
選択部２２は、ユーザがタッチパネル３を介して指示した印画物に対する負担金額から、印画物にプリントする広告コマ数を求め、ディスク装置１３から広告データ１７を選択して取り出す。例えば、ユーザが図２（ｄ）に示すように２つのコマ位置に広告がプリントされた印画物の負担金額を指示した場合、選択部２２は、ディスク装置１３から２種類の広告データ１７を選択して取り出す。
【００３３】
合成部２３は、ユーザが必要とする顔画像のコマ数及びユーザの負担金額に基づいて、リサイズ部２１により生成されたプリント用顔画像データ、及び選択部２２によりディスク装置１３から取り出された広告データ１７の印画物上での印刷位置を決定し、プリント用顔画像データ及び広告データ１７を合成してプリント用画像データを生成する。例えば、合成部２３は、プリント用顔画像データを印画物上の４つのコマに割り当て、広告データ１７を印画物上の２つのコマに割り当てることで、図２（ｄ）に示す印画物に対応するプリント用画像データを生成する。プリント用画像データは、入出力部１４を介してプリンタ５へ出力される。
【００３４】
プリンタ５は、演算制御部１から受け取ったプリント用画像データに対して、色変換やシャープネス処理を行う。そして、プリンタ５は、被撮影者Ｐの撮影画像及び広告を用紙に印画して出力する。プリンタ５のプリント方式は特に限定されず、インクジェット方式、昇華型熱転写方式、溶融型熱転写方式等を用いることができる。  
次に、このような印画物作製装置１００を用いた印画物作製方法を図５に示すフローチャートを用いて説明する。
【００３５】
（ステップＳ１０１）タッチパネル３が、被撮影者Ｐから、印画する写真サイズ、及び必要とする顔画像のコマ数の入力を受け付ける。
【００３６】
（ステップＳ１０２）タッチパネル３が、被撮影者Ｐから、印画物に対する負担金額の入力を受け付ける。
【００３７】
例えば、ステップＳ１０１において、写真サイズ「縦３．０ｃｍ、横２．４ｃｍ」、必要コマ数「６コマ」が入力されたとする。写真サイズが「縦３．０ｃｍ、横２．４ｃｍ」の場合、１枚の印画物（プリント用紙）には８コマ分の画像印刷領域があり、顔画像の必要コマ数が６コマであれば、空きコマは２コマとなる。タッチパネル３は、図６に示すように、この空きコマに広告を印刷する場合の料金と、印刷しない場合の料金とを表示する。また、このとき、図７に示すように、２つの空きコマのうち一方のみを広告とした場合の料金設定をさらに表示するようにしてもよい。
【００３８】
被撮影者Ｐは、顔画像と共に印画される広告の量や印画物の料金を確認して、希望する料金（自身の負担金額）を選択し、タッチパネル３の選択ボタン（例えば料金を表示している領域）を押す。
【００３９】
（ステップＳ１０３）被撮影者Ｐが、課金部に料金を投入すると、撮影部２が、被撮影者Ｐを撮影し、顔画像データを生成する。撮影部２が撮影を行う際に、ストロボ６が被撮影者Ｐに光を照射する。
【００４０】
（ステップＳ１０４）リサイズ部２０が、ステップＳ１０１で入力された写真サイズに基づいて顔画像データのリサイズ処理を行い、プリント用顔画像データを生成する。
【００４１】
また、リサイズ部２０は、タッチパネル３でのプレビュー用に顔画像データのリサイズ処理を行い、プレビュー用顔画像データを生成する。タッチパネル３は、プレビュー用顔画像データを用いて顔画像をプレビュー表示する。これにより、被撮影者Ｐは、プリント前に顔画像を確認することができる。
【００４２】
ステップＳ１０３において撮影部２が、被撮影者Ｐを複数回撮影して、複数の顔画像をタッチパネル３に表示し、被撮影者Ｐが表示された画像を確認した上で、どの画像を印画するか選択できるようにしてもよい。また、撮り直しができるようにしてもよい。
【００４３】
（ステップＳ１０５）選択部２２が、ステップＳ１０２で入力された負担金額に基づいて、ディスク装置１３から広告データ１７を選択して取り出す。選択部２２がディスク装置１３から取り出す広告データ１７は１つでもよいし、広告に割り当てられる空きコマと同じ数でもよい。
【００４４】
ステップＳ１０２で入力された負担金額が広告のない金額であった場合は、選択部２２は広告データ１７の取り出しを行わない。
【００４５】
（ステップＳ１０６）合成部２３が、ステップＳ１０１で入力された顔画像のコマ数、及びステップＳ１０２で入力された負担金額に基づいて、顔画像と広告の印刷位置（印刷領域）を決定する。そして、合成部２３が、ステップＳ１０４で生成されたプリント用顔画像データ、及びステップＳ１０５でディスク装置１３から取り出された広告データ１７を合成して、プリント用画像データを生成する。
【００４６】
プリント用画像データは、入出力部１４を介してプリンタ５へ出力される。
【００４７】
（ステップＳ１０７）プリンタ５が、演算制御装置１から受け取ったプリント用画像データをプリントして出力する。
【００４８】
このように、本実施形態に係る印画物作製装置１００によれば、印画物（プリント用紙）にプリントされる広告の有無や割合によって異なる印画物の料金（負担金額）を、利用者自身が決定できる。従って、広告の不要な利用者には広告のプリントされていない（顔画像のみプリントされた）印画物を出力することができる。また、自己負担金額を抑えたい（言い換えれば広告主の負担比率を大きくしたい）利用者には、顔画像と共に広告がプリントされた印画物を出力することができる。
【００４９】
（第１の実施形態の第１変形例）上記第１の実施形態では、空きコマに広告がプリントされた１枚の印画物を出力していたが、被撮影者Ｐの複数コマの顔画像を複数枚の印画物に分けてプリントし、印画物１枚あたりの広告面積を大きくして、被撮影者Ｐの負担金額をさらに低くできるようにしてもよい。
【００５０】
例えば、被撮影者Ｐが必要とする顔画像のコマ数が「４コマ」である場合、被撮影者Ｐは、図８（ａ）に示すように、４コマの顔画像及び広告をプリントした１枚の印画物を料金（自己負担金額）４００円で出力するか、又は図８（ｂ）に示すように、２コマの顔画像及び広告をそれぞれプリントした２枚の印画物を料金３５０円で出力するか、又は図８（ｃ）に示すように、１コマの顔画像及び広告をそれぞれプリントした４枚の印画物を料金３００円で出力するか選択して、印画物作製装置１００のタッチパネル３に入力する。
【００５１】
合成部２３は、タッチパネル３からの入力に基づいて、プリント用顔画像データ及び広告データ１７を１枚又は複数枚の印画物に配置するように、プリント用画像データを生成する。プリンタ５は、このプリント用画像データを用いて、被撮影者Ｐの撮影画像及び広告を１枚又は複数枚の用紙に印画して出力する。
【００５２】
このように、複数コマの顔画像を複数枚の印画物に分割してプリントし、１枚の印画物に占める広告の割合を大きくすることで、利用者の負担金額の選択肢を増やすことができる。利用者は、広告のプリントされていない（顔画像のみプリントされた）シンプルな印画物を受け取ることもできるし、複数枚の印画物を受け取り多くの広告を見る代わりに自己負担金額を抑えることもできる。
【００５３】
なお、図８（ｂ）、（ｃ）に示した例では、各印画物における顔画像のコマ位置が同じであったが、合成部２３は、図９（ａ）、（ｂ）、（ｃ）に示すように、各印画物における顔画像のコマ位置が異なるようプリント用顔画像データを印画物上に割り当てるようにしてもよい。各印画物における顔画像のコマ位置が同じ場合は、複数枚の印画物を重ねて顔画像部分を切り抜くことで、広告部分が容易に破棄されるおそれがあるが、図９（ａ）、（ｂ）、（ｃ）に示すよう、各印画物における顔画像のコマ位置をランダムにすることで、広告部分が容易に破棄されることを防止し、広告宣伝効果を高めることができる。
【００５４】
（第１の実施形態の第２変形例）上記第１の実施形態において、選択部２２は、被撮影者Ｐから入力された印画する写真サイズに基づいて写真の用途を推定し、用途に対応したジャンルの広告データ１７を選択してディスク装置１３から取り出してもよい。なお、ディスク装置１３に記憶されている各広告データ１７は、“旅行”、“試験”、“車”、“就職”等のジャンル情報を有しているものとする。
【００５５】
例えば、被撮影者Ｐが写真サイズ「縦３．０ｃｍ、横２．４ｃｍ」を選択した場合、写真は自動車運転免許申請等に使用されるため、選択部２２は“車”というジャンル情報を有している中古車販売店の広告データ１７を選択する。
【００５６】
また、被撮影者Ｐが写真サイズ「縦４．０ｃｍ、横３．０ｃｍ」を選択した場合、写真は履歴書や公務員試験等に使用されるため、選択部２２は“就職”というジャンル情報を有している就職情報誌の広告データ１７や、“試験”というジャンル情報を有している予備校の広告データ１７を選択する。
【００５７】
また、被撮影者Ｐが写真サイズ「縦４．５ｃｍ、横３．５ｃｍ」を選択した場合、写真はパスポート申請等に使用されるため、選択部２２は“旅行”というジャンル情報を有している旅行代理店や保険会社の広告データ１７を選択する。
【００５８】
このように、プリントする写真サイズに基づいて写真の用途を推定し、そのジャンルに対応した広告をプリントすることで、被撮影者Ｐに対する広告宣伝効果をさらに高めることができる。
【００５９】
印画物のプリント前に、選択部２２が選択した広告データ１７の画像をタッチパネル３に表示し、被撮影者Ｐから広告データ１７の変更要求を受け付けるようにしてもよい。１つの写真サイズには様々な用途があり、被撮影者Ｐからの変更要求により、選択部２２は、より用途に近い広告データ１７や被撮影者Ｐの望む広告データ１７を選択し直すことが可能になる。
【００６０】
印画物作製装置１００は、タッチパネル３を介して、被撮影者Ｐから写真の用途の入力を受け付けるようにしてもよい。これにより、選択部２２は、写真用途に適合した広告データ１７を選択することができる。
【００６１】
（第２の実施形態）図１０に本発明の第２の実施形態に係る印画物作製システムの概略構成を示す。印画物作製システムは、複数の上記第１の実施形態に係る印画物作製装置１００と、広告配信サーバ２００とを備えている。
【００６２】
複数の印画物作製装置１００は、それぞれ、インターネット等のネットワークを介して広告配信サーバ２００と通信を行う通信部（図示せず）を備えている。
【００６３】
広告配信サーバ２００は、ネットワークを介して、定期的に印画物作製装置１００に対して広告データ１７を配信する。また、広告配信サーバ２００は、印画物作製装置１００からのリクエストに応じて、広告データ１７を配信してもよい。また、広告配信サーバ２００は広告データ１７の配信期限を管理し、期限切れの広告データを削除するとともに、印画物作製装置１００に対して期限の切れた広告データ１７の削除を指示するようにしてもよい。
【００６４】
このように、広告配信サーバ２００から広告データ１７を配信することで、印画物作製装置１００は、最新の広告データ１７をディスク装置１３に記憶して、印画物にプリントして出力することができる。
【００６５】
広告配信サーバ２００は、各印画物作製装置１００の設置場所の情報を取得し、設置場所に近い店舗等の広告データ１７を配信するようにしてもよい。
【００６６】
また、広告配信サーバ２００は、印画物作製装置１００から広告データ１７のプリント実績を取得して管理してもよい。これにより、広告主に対して、広告プリント実績に応じた広告宣伝料を請求することができる。
【００６７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６８】
１  演算制御部        
２  撮影部
３  タッチパネル
５  プリンタ
６  ストロボ
１１  ＣＰＵ
１２  メインメモリ
１３  ディスク装置
１４  入出力部
１５  バス
２１  リサイズ部
２２  選択部
２３  合成部
１００  印画物作製装置
２００  広告配信サーバ
【図１】
0005704445.tif 000002
【図２】
0005704445.tif 000003
【図３】
0005704445.tif 000004
【図４】
0005704445.tif 000005
【図５】
0005704445.tif 000006
【図６】
0005704445.tif 000007
【図７】
0005704445.tif 000008
【図１０】
0005704445.tif 000009
【図８】
0005704445.tif 000010
【図９】
0005704445.tif 000011